(57)【特許請求の範囲】
【請求項１】
合成樹脂製のシート体からなり開口を有する袋体と、
この袋体の開口縁又はその近傍に設けられる雌雄咬合型の第１の線ファスナと、
この第１の線ファスナの設置位置よりも前記袋体の内側に配設される雌雄咬合型の第２の線ファスナと、
前記袋体の側縁近傍で、かつ、前記第１の線ファスナと前記第２の線ファスナの間において、前記シート体の重なり部を貫通してなる孔と、
前記孔の周縁を支点にして前記袋体を吊下げ保持した場合に、前記第１の線ファスナと前記第２の線ファスナの間で、かつ、前記孔から可能な限り離れた鉛直下方側の前記シート体に形成される少なくとも１つの水抜き孔と、を備えることを特徴とする作業シート保管ケース。
【請求項２】
合成樹脂製のシート体からなり開口を有する袋体と、
この袋体の開口縁又はその近傍に設けられる雌雄咬合型の第１の線ファスナと、
この第１の線ファスナの設置位置よりも前記袋体の内側に配設される雌雄咬合型の第２の線ファスナと、を備え、
前記第１の線ファスナと前記第２の線ファスナの間に配される前記シート体はメッシュ材からなることを特徴とする作業シート保管ケース。
【請求項３】
前記第１の線ファスナと前記第２の線ファスナとの間に配される前記シート体は、他の領域のシート体よりも厚い、又は、その表面又は内部に補強材を備えている、又は、補強構造を備えている、ことを特徴とする請求項１又は請求項２に記載の作業シート保管ケース。
【請求項４】
前記第１の線ファスナは、スライダを備えて咬合するスライダ付線ファスナであることを特徴とする請求項１乃至請求項３のいずれか１項に記載の作業シート保管ケース。
【請求項５】
前記スライダの占有領域を除く前記開口の幅は、前記開口を通過する作業シートの一辺の長さよりも大きいことを特徴とする請求項４記載の作業シート保管ケース。
【請求項６】
前記第１の線ファスナと前記第２の線ファスナは前記袋体の周囲のうち連続する半周囲に設けられることを特徴とする請求項１乃至請求項４のいずれか１項に記載の作業シート保管ケース。
【発明の詳細な説明】
【技術分野】
【０００１】
本発明は、発電用設備等において設備の保守点検に用いられる作業シートの出し入れを容易にしつつ、湿気や雨水から作業シートを保護することができ、その構造が極めてシンプルな作業シート保管ケースに関する。
【背景技術】
【０００２】
従来、発電用設備の系統操作を行う際に、作業票補助標識（作業シート）を準備し、それを発電用設備におけるバルブ等の操作対象に紐等により吊り下げて（以下、この作業を札掛けとよぶ）、操作忘れを防止するための注意喚起を行っている。
より具体的な作業内容としては、系統操作後の系統復旧時に、上記作業シートが札掛けされたバルブ等を元の状態に戻してから、バルブ等に吊り下げられる作業票補助標識（作業シート）を回収し、最終的に回収された作業票補助標識の数が予め準備した作業票補助標識の数と同じであることを確認することで、操作対象の操作忘れの有無を確認している。
また、発電用設備の定期点検や工事の際にもこの札掛け作業を行うため、作業票補助標識（作業シート）は、通常、屋外で長期間雨曝しになる。
また、特定の操作対象に割り当てられる作業票補助標識（作業シート）が、１枚でない場合もあった。
【０００３】
通常、作業票補助標識（作業シート）は、操作内容等をプリントアウトした紙であり、この紙には防水加工等が施されていないので、個々の作業シートを、防水性を有するケースに入れて、雨水等から保護してやる必要があった。
従来、上述のような作業シートの保護ケースとして繰り返し使用が可能な、スライダ付線ファスナを備える袋体を用いていた。また、この場合、この袋体を操作対象であるバルブ等に吊り下げ保持する必要性から、この袋体に紐等を取り付ける必要があった。
ところが、このようなスライダ付線ファスナを備える袋体は、紐等を取り付けるのに適した構成を備えていない。
このため、作業現場では、スライダ付線ファスナを備える袋体の縁部に貫通孔を形成して、紐等の掛着具を取り付けて使用していた。しかしながら、この貫通孔から袋内に雨水が侵入して、作業シートが損傷するなどの不具合が生じ、作業の妨げになっていた。
【０００４】
本発明と同じ解決すべき課題を有する先行技術文献は現時点では発見されていないが、関連する技術分野の先行技術としては、特開２００２−１７９０８６号公報（特許文献１）や、特開２００９−１２０２４０号公報（特許文献２）が知られている。
【先行技術文献】
【特許文献】
【０００５】
【特許文献１】特開２００２−１７９０８６号公報
【特許文献２】特開２００９−１２０２４０号公報
【発明の概要】
【発明が解決しようとする課題】
【０００６】
特許文献１には、スライダ付線ファスナと線ファスナの両者を備える袋体が開示されているものの、この袋体を吊り下げ保持することについては想定されていない。
また、特許文献２には、線ファスナと孔を備えた袋体が開示されているので、特許文献２に開示される発明を用いれば、本発明の目的を達成できるとも考えられる。しかしながら、特許文献２に開示される発明を本発明の代替品として用いる場合は、以下に示すような不具合が生じることが予測される。
特許文献２に開示される発明は、そもそも商品を陳列し、販売する際に使い切りを前提として用いられる袋体である。従って、本発明のような繰り返しの使用にはそもそも適していない。
この点をより具体的に説明すると、特許文献２に開示される発明では、袋体の開口に配されるシート体を折り返して開口を閉止する構造であるため、その開閉作業が煩雑であった。しかも、開口の封止には接着剤が用いられているため、経時変化に伴い接着剤の接着力が低下して、最終的には開口を封止できなくなることが予測される。さらに、特許文献２に開示される発明の場合は、開口近傍に形成される孔はその周囲に補強部材あるいは補強構造を何ら備えていないので、使用開始後ほどなく孔が広がったり、孔が引きちぎれる等の不具合が生じることが予測される。
従って、特許文献２に開示される発明の場合は、利便性が低く、かつ、十分な耐久性も備えていなかった。
【０００７】
本発明はかかる従来の事情に対処してなされたものでありその目的は、シンプルな構成で袋体内に収容される紙片を湿気や雨水から確実に保護することができ、この袋体を吊り下げ保持しておくための紐等の掛着具を取り付け可能で、その際に掛着具による袋体の破損が起こり難く、しかも、開口を繰り返し開閉させても開口の変形や破損が起き難い作業シート保管ケースを提供することにある。
【課題を解決するための手段】
【０００８】
上記課題を解決するため第１の発明である作業シート保管ケースは、合成樹脂製のシート体からなり開口を有する袋体と、この袋体の開口縁又はその近傍に設けられる雌雄咬合型の第１の線ファスナと、この第１の線ファスナの設置位置よりも袋体の内側に配設される雌雄咬合型の第２の線ファスナと、を有し、袋体は、その側縁近傍で、かつ、第１の線ファスナと第２の線ファスナの間に、シート体の重なり部を貫通してなる孔を備えることを特徴とするものである。
上記構成の第１の発明において、袋体は作業シートを収納保持するという作用を有する。また、袋体の開口は、作業シートを袋体に出し入れ可能にするという作用を有する。さらに、袋体の開口縁から奥まった位置に配設される第２の線ファスナは、開閉可能に袋体を封止するという作用を有する。
また、上記第２の線ファスナよりも開口縁寄りに取設される第１の線ファスナは、開口縁を開閉させるという作用を有する。さらに、第１の線ファスナは、袋体のより内側に配される第２の線ファスナの意図しない開放を抑制するという作用を有する。
また、第１の線ファスナと第２の線ファスナの間に配されるシート体の重なり部に孔を形成することで、袋体内への雨水等の侵入を防止しながら、袋体に、例えば、紐等の掛着具を直接着脱可能にするという作用を有する。この場合、袋体に紐等の掛着具を取設するためのループ等の構成を付加する必要がなくなる。
さらに、この場合、孔の周囲に第１の線ファスナ及び第２の線ファスナが配されることで、使用時の孔の変形や、孔の周囲のシート体が引きちぎれるのを妨げるという作用を有する。
【０００９】
第２の発明である作業シート保管ケースは、第１の発明であって、第１の線ファスナと第２の線ファスナとの間に配されるシート体は、他の領域のシート体よりも厚い、又は、その表面又は内部に補強材を備えている、又は、補強構造を備えていることを特徴とするものである。
上記構成の第２の発明は、第１の発明と同じ作用に加えて、第１の線ファスナと第２の線ファスナとの間に配されるシート体の強度を向上させるという作用を有する。また、シート体の強度が向上する領域に孔が形成されるので、使用時の孔の変形や、孔の周囲のシート体が引きちぎれるという不具合が生じるのをより確実に抑制するという作用を有する。この結果、第２の発明の耐久性を一層向上させるという作用を有する。
【００１０】
第３の発明である作業シート保管ケースは、第１又は第２の発明であって、第１の線ファスナと第２の線ファスナとの間に配されるシート体は、少なくとも１つの水抜き孔を備えていることを特徴とするものである。
上記構成の第３の発明は、第１又は第２の発明と同じ作用に加えて、第１の線ファスナと第２の線ファスナとの間に配されるシート体に形成される水抜き孔は、孔から浸入する雨水を、袋体の外に排出するという作用を有する。
なお、この水抜き孔は、第３の発明を所望の位置に吊り下げ保持した場合に、孔よりも可能な限り離れた鉛直下方側に形成するとよい。
このような第３の発明によれば、孔から雨水が浸入しても水抜き孔から排出できるので、線ファスナを開放した際に、袋体内に水が浸入するのを防止できる。
【００１１】
第４の発明である作業シート保管ケースは、第１乃至第３のいずれかの発明であって、第１の線ファスナは、スライダを備えて咬合するスライダ付線ファスナであることを特徴とするものである。
上記構成の第４の発明は、第１乃至第３のそれぞれの発明と同じ作用に加えて、スライダが確実に線ファスナを咬合あるいは開放するように作用する。
【００１２】
第５の発明である作業シート保管ケースは、第４の発明であって、スライダの占有領域を除く開口の幅は、開口を通過する作業シートの一辺の長さよりも大きいことを特徴とするものである。
上記構成の第５の発明は、第４の発明と同じ作用に加えて、スライダの占有領域を除く開口の幅を、開口を通過する作業シートの一辺の長さよりも大きく設定しておくことで、作業シートの開口の通過をスムーズにするという作用を有する。
【００１３】
第６の発明である作業シート保管ケースは、第１乃至第４のいずれかの発明であって、第１の線ファスナと第２の線ファスナは袋体の周囲のうち連続する半周囲に設けられることを特徴とするものである。
上記構成の第６の発明は、第１乃至第４のそれぞれの発明と同じ作用に加えて、第１の線ファスナと第２の線ファスナが袋体の周囲のうち連続する半周囲に設けられることで、広く開閉するように作用する。
【発明の効果】
【００１４】
上述のような第１の発明によれば、袋体への掛着具の着脱が可能で、袋体内への雨水の侵入を確実に防止でき、この袋体内への作業シートの出し入れが容易な作業シート保管ケースを提供することができる。
特に、第１の線ファスナと第２の線ファスナの間に配されるシート体に孔を形成することで、結果的に、孔の周囲が第１の線ファスナ及び第２の線ファスナにより補強されることになる。このため、孔に掛着具を取設した場合に、孔が広がる（変形する）、孔が引きちぎれる等の不具合が起き難くなる。
また、第１の発明によれば、第１の線ファスナと第２の線ファスナを備える既存の密封容器体における、第１の線ファスナと第２の線ファスナの間に配されるシート体を貫通する孔を形成するだけで、上述のような独自の効果を有する作業シート保管ケースを構成することができる。
この場合、その製造時に、第１の線ファスナと第２の線ファスナを備える既存の密封容器体に対し、掛着具を着脱可能にするループ等を取り付ける等のパーツの追加が必要ないので、その構造をシンプルにできるだけでなく、第１の発明の製造コストを廉価にできるというメリットもある。
また、第１の発明は、第２の線ファスナに加えて第１の線ファスナを備えているので、第２の線ファスナで開口を封止した後、さらに、第１の線ファスナによっても袋体の開口縁を封止できる。
この場合、第１の線ファスナにより開口縁又はその近傍が閉止されることで、封止された第２の線ファスナの周囲のシート体に、第２の線ファスナの咬合を解除させるような外力が作用するのを好適に抑制できる。この結果、線ファスナによる水密性を好適に維持できる。
【００１５】
第２の発明は、上述の第１の発明と同じ効果に加えて、第１の線ファスナと第２の線ファスナとの間に配されるシート体の強度が増すので、袋体の開口の開閉を繰り返す場合や、孔に掛着具を取り付けて使用する場合に、第１の線ファスナと第２の線ファスナとの間に配されるシート体が伸びる、裂ける等の不具合を生じるタイミングを遅延させることができる。よって、第２の発明の耐久性を向上できる。
【００１６】
第３の発明は、上述の第１又は第２の発明と同じ効果に加えて、第１の線ファスナと第２の線ファスナとの間に配されるシート体に水抜き孔を設けることで、孔から浸入した雨水を外部に排出できる。
この結果、第３の発明における第２の線ファスナの内側の袋体内に雨水を浸入し難くすることができる。これにより、第３の発明による作業シートの保護効果を向上できる。
【００１７】
第４の発明は、上述の第１乃至第３のそれぞれの発明と同じ効果に加えて、スライダが線ファスナを確実に咬合あるいは開放するので、より精度高く第１の線ファスナを咬合あるいは開放することができる。
また、第１の線ファスナとして袋体の開口縁又はその近傍に設けられる封止構造として特にスライダ付線ファスナを採用することで、袋体の開口縁を開放する際に、開口縁を引っ張って広げる必要がなくなる。この場合、第１の線ファスナと第２の線ファスナの間のシート体が伸びたり、あるいは、変形したりする恐れが少なくなる。このことは、その内側に配置される第２の線ファスナが伸びたり、あるいは、変形したりするリスクも少なくできることを意味している。よって、第１乃至第３の発明の耐久性を大幅に向上させることができる。
また、袋体の開口縁又はその近傍に設けられる封止構造として特に第１の線ファスナを採用することで、袋体の開口縁を開放する際に、開口縁を引っ張って広げる必要がなくなる。この場合、第１の線ファスナと第２の線ファスナの間のシート体が伸びたり、あるいは、変形したりする恐れが少なくなる。このことは、その内側に配置される第２の線ファスナが伸びたり、あるいは、変形したりするリスクも少なくできることを意味している。よって、第１の発明の耐久性を大幅に向上させることができる。
【００１８】
第５の発明は、上述の第４の発明と同じ効果に加えて、袋体の開口から作業シートを出し入れする際に、作業シートを撓ませる等、変形させる必要がない。従って、第５の発明に作業シートを出し入れする際に、作業シートを破損し難くすることができる。加えて、第５の発明への作業シートの出し入れ作業がスムーズになる。この結果、第５の発明の利便性を向上できる。
【００１９】
第６の発明は、上述の第１乃至第４のそれぞれの発明と同じ効果に加えて、第１の線ファスナと第２の線ファスナが袋体の半周囲で広く開閉するので、袋体の表面積を小さくコンパクトにしても作業シートを容易に収納、交換することができる。
【図面の簡単な説明】
【００２０】
【図１】（ａ）本発明の実施例１に係る作業シート保管ケースの側面図であり、（ｂ）本発明の実施例１に係る作業シート保管ケースの平面図である。
【図２】（ａ）本発明の実施例１に係る作業シート保管ケースのスライダ付線ファスナの咬合部の開放状態を示す断面図であり、（ｂ）同咬合部の閉止状態を示す断面図である。
【図３】（ａ）本発明の実施例１に係る作業シート保管ケースの線ファスナの咬合部の開放状態を示す断面図であり、（ｂ）同咬合部の閉止状態を示す断面図である。
【図４】本発明の実施例２に係る作業シート保管ケースの平面図である。
【図５】本発明の実施例３に係る作業シート保管ケースの平面図である。
【発明を実施するための形態】
【００２１】
本発明の実施の形態に係る作業シート保管ケースについて図１乃至図５を参照しながら詳細に説明する。
【実施例１】
【００２２】
はじめに、図１乃至図３を参照しながら実施例１に係る作業シート保管ケースについて説明する。
図１（ａ）は本発明の実施例１に係る作業シート保管ケースの側面図であり、図１（ｂ）は本発明の実施例１に係る作業シート保管ケースの平面図である。
図１（ａ），（ｂ）に示すように、実施例１に係る作業シート保管ケース１Ａは、合成樹脂製のシート体２ａからなり開口３を有する袋体２と、この袋体２の開口縁又はその近傍に設けられる雌雄咬合型のスライダ付線ファスナ４と、このスライダ付線ファスナ４の配設位置よりも袋体２の内側に配置される雌雄咬合型の線ファスナ５と、からなり、この袋体２は、その側縁２ｂ近傍で、かつ、スライダ付線ファスナ４と線ファスナ５の間に、シート体２ａの重なり部を貫通して形成される孔６を備えるものである。
なお、袋体２は、例えば、矩形状のシート体２ａを、折り返し部２ｃを形成しながら２つ折りにし、その側縁２ｂ，２ｂを熱圧着してシール部２ｄを形成することで袋体２を形成してもよい。
【００２３】
ここで、スライダ付線ファスナ４による開口３の閉止構造について図１，２を参照しながら説明する。
図２（ａ）は本発明の実施例１に係る作業シート保管ケースのスライダ付線ファスナの咬合部の開放状態を示す断面図であり、図２（ｂ）は同咬合部の閉止状態を示す断面図である。なお、図１に記載されたものと同一部分については同一符号を付し、その構成についての説明は省略する。
図１（ａ），（ｂ）に示すように、スライダ付線ファスナ４は、主に線ファスナ４ａとスライダ４ｂとにより構成されるものである。また、図２（ａ），（ｂ）に示すように、スライダ付線ファスナ４における線ファスナ４ａは、雌構造４ａ１及び雄構造４ａ２とにより構成され、これらは袋体２を構成するシート体２ａの内側面に一体に固設されている。
また、雌構造４ａ１及び雄構造４ａ２はともに合成樹脂製であるため、これらはいずれも適度な変形性を有している。このため、図２（ａ）に示すように、線ファスナ４ａにおける雌構造４ａ１と雄構造４ａ２とを向い合せて、双方を強く押し合わせることで、図２（ｂ）に示すように、雌構造４ａ１と雄構造４ａ２とを咬合させることができる。
【００２４】
そして、上述のようなスライダ付線ファスナ４は、雌構造４ａ１と雄構造４ａ２の咬合又はその解除に、スライダ４ｂ（図１を参照）を用いるものである。
具体的には、図１（ａ）に示すように、スライダ４ｂはその内部に、雌構造４ａ１と雄構造４ａ２を押し合わせて咬合させる領域と、雌構造４ａ１と雄構造４ａ２を引離して離間させる領域を連続して備えている。
このため、上述のように構成されるスライダ４ｂを、図１（ａ）の紙面左方向にスライドさせると、線ファスナ４ａは閉じた状態（図２（ｂ）を参照）になる。また、スライダ４ｂが紙面左側に配される状態からスライダ４ｂを紙面右方向にスライドさせると、線ファスナ４ａは開いた状態（図２（ｂ）を参照）になる。
なお、図２（ａ），（ｂ）では、雌構造４ａ１及び雄構造４ａ２を鉤状の構造体により構成する場合を例に挙げて説明しているが、雌構造４ａ１及び雄構造４ａ２を図２（ａ），（ｂ）に示される形態に特定する必要はなく、目的とする機能を発揮させることができれば図２（ａ），（ｂ）に示す以外の構造でもよい。
【００２５】
次に、線ファスナ５による開口３の閉止構造について図３を参照しながら説明する。
図３（ａ）は本発明の実施例１に係る作業シート保管ケースの線ファスナの咬合部の開放状態を示す断面図であり、図３（ｂ）は同咬合部の閉止状態を示す断面図である。なお、図１，２に記載されたものと同一部分については同一符号を付し、その構成についての説明は省略する。
図３に示すように、実施例１に係る作業シート保管ケース１Ａの線ファスナ５は、雌構造５ａ１及び雄構造５ａ２により構成されるものである。また、雌構造５ａ１及び雄構造５ａ２はともに、袋体２を構成するシート体２ａの内側に一体に固設されている。
また、この線ファスナ５は、上述のスライダ付線ファスナ４とは異なり、互いに向い合せに配置した雌構造５ａ１及び雄構造５ａ２を、使用者が、例えば、手で押し合わせて咬合させることで、袋体２の開口３を封止することができる。
また、この線ファスナ５は、雌構造５ａ１及び雄構造５ａ２をそれぞれ備えるシート体２ａを互いに離間させることでその咬合を解除することができる。すなわち、袋体２の開口３を開放することができる。
【００２６】
そして、上述のような実施例１に係る作業シート保管ケース１Ａによれば、袋体２の開口３が二重の閉止構造（スライダ付線ファスナ４及び線ファスナ５）を備え、かつ、スライダ付線ファスナ４及び線ファスナ５の間のシート体２ａに孔６を備えることで（図１を参照）、例えば、発電用設備のバルブ等に袋体２を吊り下げ保持するための紐等の掛着具を着脱可能に取設することができる。さらに、この場合、孔６は線ファスナ５の外側に形成されるので、袋体２内に雨水が浸入するのを確実に防止できる。
また、実施例１に係る作業シート保管ケース１Ａによれば、袋体２を吊り下げ保持させるための、例えば、紐９等の掛着具を着脱可能に取設するのに必要な構成は、シート体２ａに穿設される孔６のみである。
この場合、袋体２に別途ループ等のパーツを付加する場合に比べて、実施例１に係る作業シート保管ケース１Ａの製造にかかる原材料費を廉価にできるだけでなく、作業工程もシンプルにできる。
また、線ファスナを二重に備える既存の袋体をそのまま流用して実施例１に係る作業シート保管ケース１Ａを製造することができる。
この場合、実施例１に係る作業シート保管ケース１Ａの製造コストを一層廉価にできるというメリットを有する。
【００２７】
さらに、実施例１に係る作業シート保管ケース１Ａによれば、孔６の周囲にスライダ付線ファスナ４及び線ファスナ５が配設されることで、作業シート保管ケース１Ａの使用時に孔６が変形する、孔６が引きちぎれる等の不具合の発生を抑制できる。すなわち、実施例１に係る作業シート保管ケース１Ａによれば、袋体２の耐久性を向上できる。
また、実施例１に係る作業シート保管ケース１Ａでは、開口３の縁部又はその近傍に配される線ファスナ（スライダ付線ファスナ４）は、スライダ４ｂのスライド操作により開閉されるため、スライダ付線ファスナ４を開閉させるにあたり、その周囲のシート体２ａを引っ張る必要が無い。
このため、スライダ付線ファスナ４と線ファスナ５の間に配されるシート体２ａの変形や劣化、並びに、破損を好適に防止できる。
従って、袋体２の開口３縁又はその近傍に設けられる閉止構造をスライダ付線ファスナ４に特定することによっても、実施例１に係る作業シート保管ケース１Ａの耐久性を向上できる。但し、このようなスライダ付線ファスナ４を用いることで発揮される効果を考慮しない場合には、開口３の縁部又はその近傍に配される線ファスナとしてスライド付線ファスナを用いなくともよい。
さらに、袋体２の左右側縁２ｂ，２ｂを熱圧着してこの部分にシール部２ｄを形成する場合、シール部２ｄは他の領域のシート体２ａよりも相対的に厚くて固いので、このようなシール部２ｄが孔６の近傍に形成されることによっても、孔６周辺のシート体２ａの変形や劣化、並びに、破損を好適に防止できる。よって、袋体２がシール部２ｄを有する場合、孔６の周囲のシート体２ａはシール部２ｄによっても補強されることになり、これによっても実施例１に係る作業シート保管ケース１Ａの耐久性が向上する。
【００２８】
また、実施例１に係る作業シート保管ケース１Ａでは、先の図１に示すように、スライダ４ｂの占有領域を除く開口３の開口幅Ｐを、開口３を通過する作業シート７の一辺の長さよりも大きく設定しておいてもよい。
より具体的には、図１に示すように、袋体２内に作業シート７を横長状に配置して収納する場合は、「作業シート７の一辺」は作業シート７の長辺Ｒとなる。そして、この場合、開口３の幅Ｐを作業シート７の長辺Ｒよりも大きく設定しておけばよい。
あるいは、特に図示しないが、袋体２内に作業シート７を縦長状に配置して収納する場合は、「作業シート７の一辺」は作業シート７の短辺Ｑとなる。そして、この場合、開口３の開口幅Ｐを作業シート７の長辺Ｑよりも大きく設定しておけばよい。
このように袋体２の開口３の開口幅Ｐを、この開口３を通過する「作業シート７の一辺」の長さ（Ｒ又はＱ）よりも大きく設定しておくことで、作業シート７を撓ませたり、折り曲げたりすることなく袋体２に作業シート７を出し入れすることができる。
この場合、袋体２から作業シート７を出し入れする際に、作業シート７が破損するリスクを大幅に低減できる。よって、実施例１に係る作業シート保管ケース１Ａの機能性を向上できる。
【００２９】
さらに、実施例１に係る作業シート保管ケース１Ａでは、スライダ付線ファスナ４と線ファスナ５の間に配されるシート体２ａの強度を向上させることで、作業シート保管ケース１Ａの耐久性を向上させることができる。これは、実施例１に係る作業シート保管ケース１Ａの使用時に、スライダ付線ファスナ４と線ファスナ５の間に配されるシート体２ａに特に大きな負荷がかかるためである。
従って、この領域のシート体２ａを補強することで、実施例１に係る作業シート保管ケース１Ａの耐久性を向上できる。
より具体的には、スライダ付線ファスナ４と線ファスナ５の間に配されるシート体２ａを、他の領域のシート体２ａよりも厚くする、又は、その表面又は内部に補強材を設ける、あるいは、補強構造を備える、ことでこの領域のシート体２ａを補強するとよい。
なお、シート体２ａの表面又は内部に補強材を設けるとは、例えば、シート体２ａの表面に合成樹脂からなるメッシュ材を貼設したり、その厚み方向断面に合成樹脂からなるメッシュ材を封止することである。
また、シート体２ａが補強構造を備えるとは、例えば、シート体２ａの製造時にシート体２ａの厚みの一部を大きくするなどによりメッシュ構造やストライプ構造をシート体２ａと一体に形成することである。
いずれも、スライダ付線ファスナ４と線ファスナ５の間に配されるシート体２ａの強度を大幅に向上することができる。これにより、実施例１に係る作業シート保管ケース１Ａの耐久性を向上できる。
【００３０】
なお、実施例１に係る作業シート保管ケース１Ａは、屋外において雨曝しの状態で使用されることも多いため、作業シート保管ケース１Ａを構成する個々のパーツを、耐候性に優れる合成樹脂により構成しても良い。このような合成樹脂としては、例えば、アクリル系樹脂等が知られている。この場合、実施例１に係る作業シート保管ケース１Ａの耐久性を一層向上できる。
また、作業シート７を収容保持する領域のシート体２ａを透光材により構成してもよい。この場合、実施例１に係る作業シート保管ケース１Ａに作業シート７を収納したまま、袋体２の外から袋体２内に収容される作業シート７の記載内容を確認することができる。
さらに、シート体２ａを透光材で構成する場合は、スライダ付線ファスナ４及び線ファスナ５を構成する、雌構造４ａ１と雄構造４ａ２とを、及び、雌構造５ａ１と雄構造５ａ２とを、それぞれ異なる色の合成樹脂により構成してもよい。
この場合、雌構造４ａ１と雄構造４ａ２とが、及び、雌構造５ａ１と雄構造５ａ２とが、しっかり咬合している場合は、それぞれを構成する合成樹脂の色が混ざり合って見えるので、それぞれの咬合状態を目視により容易に確認できる。
【実施例２】
【００３１】
次に、実施例２に係る作業シート保管ケースについて図４を参照しながら詳細に説明する。
図４は本発明の実施例２に係る作業シート保管ケースの平面図である。なお、図１乃至図３に記載されたものと同一部分については同一符号を付し、その構成についての説明は省略する。
実施例２に係る作業シート保管ケース１Ｂは、上述の実施例１に係る作業シート保管ケース１Ａのスライダ付線ファスナ４と線ファスナ５の間に配されるシート体２ａが水抜き孔８を備えるものである。
実施例１に係る作業シート保管ケース１Ａでは、孔６に、例えば、紐９等の掛着具を取設して、図示しないバルブ等の取付け対象に掛着保持させた場合に、孔６から雨水が浸入してスライダ付線ファスナ４と線ファスナ５の間に溜まる可能性がある。
この場合、袋体２の開口３が線ファスナ５により水密に封止されていても、線ファスナ５を構成する雌構造５ａ１及び雄構造５ａ２を引離して開口３を開いた際に、スライダ付線ファスナ４と線ファスナ５の間に溜まった雨水が袋体２の内部に浸入して作業シート７が濡れてしまうという懸念があった。
また、このような事態を回避するためには、袋体２の線ファスナ５を開放する前に、予めスライダ付線ファスナ４と線ファスナ５の間に雨水が溜まっていないかを確認し、雨水が溜まっている場合は、その都度開口３から雨水を排出してから線ファスナ５を開放する必要があった。
通常、発電用設備の系統操作時又は工事、あるいは、保守点検時には、一人の作業員が多数のバルブ等の設備を操作する必要があり、その一つ一つに設けられる作業シート保管ケース１Ａに対して上述の作業を逐一行うことは極めて煩雑であった。
【００３２】
これに対し、実施例２に係る作業シート保管ケース１Ｂによれば、スライダ付線ファスナ４と線ファスナ５の間のシート体２ａが水抜き孔８を備えているので、孔６から浸入した雨水を水抜き孔８から袋体２の外に排出できる。
この場合、袋体２のスライダ付線ファスナ４と線ファスナ５の間に浸入した雨水が、線ファスナ５の開放時に袋体２内に流入するという不具合を回避できる。
よって、実施例２に係る作業シート保管ケース１Ｂによれば、より高機能な作業シート保管ケースを提供できる。
なお、図４では、袋体２のスライダ付線ファスナ４と線ファスナ５の間に配されるシート体２ａにおいて、孔６が形成されない側の側縁２ｂの一部にシール部２ｄを形成しないでおき、側縁２ｂの未接合部を水抜き孔８として用いる場合を例に挙げて説明しているが、水抜き孔８の形態は図４に示されるものに特定される必要はない。より具体的には、孔６から浸入した雨水を外部に排出できるよう構成されるものであれば、袋体２に単に孔を形成しておくだけでもよい。また、この場合、袋体２のシート体２ａに形成される水抜き孔８は、重なり合うシート体２ａを貫通するものでなくともよい。つまり、重なり合うシート体２ａのいずれか一方に水抜き孔８が形成されるだけでも十分に目的を達することができる。
【００３３】
さらに、この水抜き孔８は、実施例２に係る作業シート保管ケース１Ｂの孔６に、例えば、紐９等の掛着具を取設して作業シート保管ケース１Ｂを、掛着対象に吊り下げ保持した際に、孔６から離れた位置の鉛直下方側に形成されることが望ましい。
この場合、作業シート保管ケース１Ｂ掛着対象に吊り下げ保持した状態で、孔６から浸入した雨水を水抜き孔８から効率良く排出することができる。
そして、特に図４に示すように、シート体２ａの側縁２ｂにシール部２ｄに代えて水抜き孔８を形成する場合は、水抜き用の孔をシート体２ａに形成する手間が必要ないので、その製造工程をシンプルにできる。
【００３４】
なお、図４に示す実施例２に係る作業シート保管ケース１Ｂでは、水抜き孔８を１つのみ設ける場合を例に挙げて説明しているが、このような水抜き孔８は複数形成されていてもよい。
さらに、実施例２に係る作業シート保管ケース１Ｂでは、水抜き孔８を形成する代わりに、スライダ付線ファスナ４と線ファスナ５の間に配されるシート体２ａを、十分な強度を有するメッシュ材に置き換えてもよい。
この場合、このメッシュ材の空隙を孔６としても水抜き孔８としても利用できるので、スライダ付線ファスナ４及び線ファスナ５の間に雨水が溜まるという不具合自体が起こらなくなる。
【００３５】
よって、上述のような水抜き孔８を備えた実施例２に係る作業シート保管ケース１Ｂによれば、より機能性の高い作業シート保管ケースを提供できる。
【００３６】
最後に、実施例３に係る作業シート保管ケースについて図５を参照しながら詳細に説明する。
図５は本発明の実施例３に係る作業シート保管ケースの平面図である。なお、図１乃至図４に記載されたものと同一部分については同一符号を付し、その構成についての説明は省略する。また、ここでは先に述べた実施例１に係る作業シート保管ケース１Ａとの相違点に重点をおいて説明する。
実施例３に係る作業シート保管ケース１Ｃは、袋体２の周縁にその上端と側縁２ｂのいずれか一方に形成されるＬ字形の開口３を備え、この開口３を閉止するための二重の線ファスナ５を備え、さらに、線ファスナ５，５の間でかつ開口３が形成されない側縁２ｂの近傍に、例えば、紐９等の掛着具を着脱させるための孔６が形成されてなるものである。
つまり、実施例３に係る作業シート保管ケース１Ｃでは、袋体２の周縁の半周囲に開口３が形成されている。
【００３７】
なお、実施例３に係る作業シート保管ケース１Ｃでは、開口３縁側に設けられる線ファスナ５、及び、その内側に配される線ファスナ５の両方が開放された際に、袋体２の開口３を大きく広げることができる。
この場合、袋体２の内部への作業シート７の出し入れが容易になる。より具体的には、実施例３に係る作業シート保管ケース１Ｃによれば、袋体２を構成するシート体２ａを互いに離間させるように、袋体２の開口３を開放することができる。この結果、袋体２のいずれかの辺にのみ開口３を形成する場合に比べて、開口３が形成される領域が相対的に大きくなるので、袋体２の一辺に形成される開口の幅が作業シート７の一辺よりもさほど大きくなくとも作業シート７の出し入れをスムーズにできる。この結果、実施例３に係る作業シート保管ケース１Ｃによれば、コンパクトな作業シート保管ケースを提供できる。
また、Ｌ字形の開口３の角部は弧状に形成されているので、直角に形成されるよりも気密性が向上すると共に開閉操作も容易となっている。
【００３８】
なお、特に図示しないが、実施例３に係る作業シート保管ケース１Ｃの袋体２の開口３が形成されるコーナーに、シート体２ａ同士の離間を容易にするために、シート体２ａに延設されてなるつまみ部を備えていてもよい。この場合、作業者は、つまみ部を挟持して、重ね合されたシート体２ａを引離すだけで、容易に実施例３に係る作業シート保管ケース１Ｃの開口３を開放することができる。よって、実施例３に係る作業シート保管ケース１Ｃの開口３の開放作業を一層スムーズにできる。
また、このようなつまみ部及びその基部を形成するシート体２ａを補強しておいてもよい。なお、シート体２ａの補強方法としては、先の実施例１において述べた方法を支障なく使用できる。この場合、つまみ部の基部の劣化の進行を遅延させることができる。よって、実施例３に係る作業シート保管ケース１Ｃの耐久性を向上できる。
【００３９】
なお、先の実施例１に係る作業シート保管ケース１Ａにおけるスライダ付線ファスナ４と線ファスナ５の間に配されるシート体２ａを補強するための構造を、実施例３に係る作業シート保管ケース１Ｃにおいて並設される線ファスナ５,５の間に採用してもよい。この場合、実施例３に係る作業シート保管ケース１Ａの耐久性を向上できる。
さらに、先の実施例２に係る作業シート保管ケース１Ｂに設けられる水抜き孔８を実施例３に係る作業シート保管ケース１Ｃに設けてもよい。なお、実施例３に係る作業シート保管ケース１Ｃに水抜き孔８を設ける場合は、孔６から離れた位置に配される線ファスナ５，５の間に配される単数又は複数のシート体２ａを貫通してなる水抜き孔８を設けるとよい。
このように、線ファスナ５，５間に配されるシート体２ａが水抜き孔８を備えることで、孔６から浸入した雨水が線ファスナ５，５の間に溜まるのを防止できるので、線ファスナ５，５の開放時に雨水で作業シート７が濡れるのを防止できる。
【００４０】
また、実施例３に係る作業シート保管ケース１Ｃでは、袋体２の最外に配される線ファスナ５に代えて、先の図１に示すスライダ付線ファスナ４を用いてもよい。
この場合、開口３縁の開閉をスライダ４ｂのスライド動作により行うことができるので、開口３を開放するのに開口３縁を形成するシート体２ａを引っ張る必要がなくなる。これにより、袋体２の開口３縁の劣化を好適に防止できるので、実施例３に係る作業シート保管ケース１Ｃの耐久性を向上できる。
【産業上の利用可能性】
【００４１】
以上説明したように本発明は、構造がシンプルでかつ製造が容易であり、袋体の開口の周辺が破損し難くて耐久性に優れ、しかも、利便性の高い作業シート保管ケースに関するものであり、発電プラント等の保守点検に関する技術分野において利用可能である。
【符号の説明】
【００４２】
１Ａ〜１Ｃ…作業シート保管ケース  ２…袋体  ２ａ…シート体  ２ｂ…側縁  ２ｃ…折り返し部  ２ｄ…シール部  ３…開口  ４…スライダ付線ファスナ  ４ａ…線ファスナ  ４ａ１…雌構造  ４ａ２…雄構造  ４ｂ…スライダ  ５…線ファスナ  ５ａ１…雌構造  ５ａ２…雄構造  ６…孔  ７…作業シート  ８…水抜き孔  ９…紐  Ｐ…開口幅  Ｑ…短辺  Ｒ…長辺
【図１】
0006558628.tif 000002
【図２】
0006558628.tif 000003
【図３】
0006558628.tif 000004
【図４】
0006558628.tif 000005
【図５】
0006558628.tif 000006